(57)【要約】【課題】パチンコ玉やメダル等の勝ち玉類を収納した玉箱や玉箱内の勝ち玉類を第三者が持ち去ることがないようにし、また積み上げた玉箱が転倒したり、積み上げた玉箱が崩れたりすることないようにした遊技媒体収納箱を提供する。【解決手段】上面が開口し、パチンコ玉やメダル等の遊技媒体Ｐを収納する遊技媒体収納箱（玉箱）２と、遊技媒体収納箱（玉箱）２の上面に被着される蓋３とから成り、蓋３の施錠操作によって上下方向に回動移動する連結部材（蓋側連結部材）６Ａと、遊技媒体収納箱（玉箱）２の開口縁に設けた連結部材（玉箱側連結部材）６Ｂとの係合により、該遊技媒体収納箱（玉箱）２の上面を閉塞するようにした。【選択図】図８
2008079790.tif 000002
【特許請求の範囲】
【請求項１】
上面が開口し、パチンコ玉やメダル等の遊技媒体を収納する遊技媒体収納箱と、前記遊技媒体収納箱の上面に被着される蓋とから成り、前記蓋の施錠操作によって上下方向に回動移動する連結部材と、前記遊技媒体収納箱の開口縁に設けた連結部材との係合により、該遊技媒体収納箱の上面を閉塞することを特徴とする遊技媒体収納箱。
【請求項２】
前記遊技媒体収納箱の連結部材は、上方側を被連結構造とし、下方側を連結構造とし、前記蓋の施錠操作によって、複数積み上げた遊技媒体収納箱の連結部材が従動連結されることを特徴とする請求項１に記載の遊技媒体収納箱。
【請求項３】
前記遊技媒体収納箱の連結部材の上方側を被連結構造とすると共に、施錠操作用の鍵溝を有し、遊技媒体収納箱の上面を閉塞するために、当該遊技媒体収納箱を用いることを特徴とする請求項１又は２のいずれか１項に記載の遊技媒体収納箱。
【請求項４】
前記遊技媒体収納箱の連結部材が、遊技近傍の床、台車又は該台車に載せた置き板に連結係合されることを特徴とする請求項１乃至３のいずれか１項に記載の遊技媒体収納箱。
【発明の詳細な説明】
【技術分野】
【０００１】
本発明は、遊技施設等においてパチンコ玉やメダル等の遊技媒体を収納するために使用する遊技媒体収納箱に関する。
【背景技術】
【０００２】
従来、パチンコやパチスロ等の遊技施設においては、パチンコ玉やメダル等の勝ち玉類を遊技機から遊技媒体収納箱に移し換え、１箱の遊技媒体収納箱が満杯になると、他の遊技媒体収納箱を積み上げた状態にして、遊技客の足元付近や遊技席の傍の床上に置いておき、遊技を続行する。そして、遊技が終了した後、遊技媒体収納箱ごとに計数機へ運んで、勝ち玉類の計数を行うことになる。
【０００３】
ところで、遊技中に、遊技客が食事や用事等で一時的に離席した際、第三者が遊技媒体収納箱内の勝ち玉類を持ち去り、また勝ち玉類を遊技媒体収納箱ごと持ち去るという不正行為が生じていた。
【０００４】
このような不正行為を防止するために、特許文献１に記載のパチンコ球収納箱は、パチンコ球を収納する箱体の適宜箇所に防犯用錠の取付部が設けられた構成を有する。具体的には、箱体の把手部に設けられた孔に鎖が通され、この鎖を椅子や遊技島に固定することによって箱体の移動を防止するものである。ところが、このような防犯用錠の鎖は切断されるおそれがあり、また各収納箱に鎖を通したり、鎖を椅子や遊技島に固定する作業が、店員にとって煩わしいものになるという不都合があった。
【特許文献１】特開２０００−３５０８５３号公報
【発明の開示】
【発明が解決しようとする課題】
【０００５】
本発明は、上記の事情に鑑みてなされたものであり、作業者（店員）の簡単な施錠作業によって、パチンコ玉やメダル等の勝ち玉類を収納したや遊技媒体収納箱内の勝ち玉類を第三者が持ち去ることがないようにし、また積み上げた遊技媒体収納箱が転倒したり、積み上げた遊技媒体収納箱が崩れたりすることないようにした遊技媒体収納箱を提供することを目的とする。
【課題を解決するための手段】
【０００６】
上記の問題を解決するために、本発明の請求項１に記載した遊技媒体収納箱は、上面が開口し、パチンコ玉やメダル等の遊技媒体を収納する遊技媒体収納箱と、前記遊技媒体収納箱の上面に被着される蓋とから成り、前記蓋の施錠操作によって上下方向に回動移動する連結部材と、前記遊技媒体収納箱の開口縁に設けた連結部材との係合により、該遊技媒体収納箱の上面を閉塞することを特徴とする。
【０００７】
また、本発明による請求項２の遊技媒体収納箱は、請求項１において、前記遊技媒体収納箱の連結部材は、上方側を被連結構造とし、下方側を連結構造とし、前記蓋の施錠操作によって、複数積み上げた遊技媒体収納箱の連結部材が従動連結されることを特徴とする。
【０００８】
また、本発明による請求項３の遊技媒体収納箱は、請求項１又は２のいずれか１項において、前記遊技媒体収納箱の連結部材の上方側を、被連結構造とすると共に、施錠操作用の鍵溝を有し、遊技媒体収納箱の上面閉塞に、当該遊技媒体収納箱を用いることを特徴とする。
【０００９】
また、本発明による請求項４の遊技媒体収納箱は、請求項１乃至３のいずれか１項において、前記遊技媒体収納箱の連結部材が、遊技近傍の床、台車又は該台車に載せた置き板に連結係合されることを特徴とする。
【発明の効果】
【００１０】
本発明の遊技媒体収納箱によれば、蓋の施錠操作によって上下方向に回動移動する連結部材と、遊技媒体収納箱の開口縁に設けた連結部材との係合により、該遊技媒体収納箱の上面を閉塞することができるため、作業者（店員）の簡単な施錠作業によって、１個又は複数個積み上げられた遊技媒体収納箱のすべての連結部を一度に結合することができ、遊技媒体収納箱内の勝ち玉類の盗難を防止し、積み上げた玉箱が崩れたりすることを防止できる。
【００１１】
さらに、１個又は複数個積み上げられた遊技媒体収納箱の最上段の玉箱に蓋をした状態で台車に積載し、蓋に設けられた連結部に施錠を行うことで、１個又は複数個積み上げられた遊技媒体収納箱のすべての連結部を台車に対して一度に結合することができるため、遊技媒体収納箱内の勝ち玉類の盗難等を防止し、積み上げた遊技媒体収納箱の崩れ防止や、積み上げた玉箱の転倒防止、さらに台車によって移動中の玉箱が崩れたりすることも防止でき、安全且つ容易に移動することが可能となる。
【００１２】
従って、本発明によれば、１個又は複数個積み上げられた最上段の遊技媒体収納箱の蓋に設けられた連結部に施錠するだけで、積み上げたすべての遊技媒体収納箱を結合することができるため、作業者（店員）の施錠作業が簡単に行え、この施錠を行うことで、万一盗難にあっても蓋を外すことができないため、セキュリティー面でも有益となる。
【発明を実施するための最良の形態】
【００１３】
以下、本発明の実施例について図面を参照しながら説明する。
【実施例１】
【００１４】
本発明による遊技媒体収納箱は、図１〜図４又は図８に示すように、上面が開口し、パチンコ玉やメダル等の遊技媒体Ｐを収納する遊技媒体収納箱（玉箱）２と、遊技媒体収納箱（玉箱）２の上面に被着される蓋３とから成り、蓋３の施錠操作によって上下方向に回動移動する連結部材（蓋側連結部材）６Ａと、遊技媒体収納箱（玉箱）２の開口縁に設けた連結部材（玉箱側連結部材）６Ｂとの係合により、該遊技媒体収納箱（玉箱）２の上面を閉塞するようにしたものである。
【００１５】
以下、本発明による遊技媒体収納箱（以下、本実施例では「玉箱」という）２に蓋３を設けた構造を「蓋付き玉箱」と称し、本実施例ではこの蓋付き玉箱１について詳細に述べる。図１は１個の上面が開口した玉箱２を蓋３で閉じる構成を図示したものである。図２は上面が開口した玉箱２を蓋３で閉じた状況を示す斜視図である。蓋３は、図２に示すように上面が開口した玉箱２を閉塞する平板形状の蓋板９と該蓋板９の角部に設けられた連結部４Ａとを有する。蓋板９の上面には夫々の蓋３を判別可能にした台番号や遊技店が記載された紙面９ａが装着可能とされている。
【００１６】
この蓋３の連結部（以下、蓋３の連結部を「蓋側連結部」という）４Ａの構造は、図３に示すように、蓋板９の角部に形成された円筒形状の外筒（以下、蓋３の外筒を「蓋側外筒」という）５Ａを有し、この外筒５Ａは上端に円形内孔５ｃを有する鍔部５ｄ（図６(ａ)参照）が形成され、外筒５Ａの内部には、その下方から、連結部材（以下、蓋３の連結部材を「蓋側連結部材」という）６Ａとバネ部材７Ａとキャップ８Ａとが装着される構造とされている。
【００１７】
これらの構成をより詳細に述べると、蓋側連結部材６Ａは円柱形状に形成され、上記の蓋側外筒５Ａの鍔部５ｄの内孔５ｃに挿通される外径を有し、蓋側連結部材６Ａの略中間の高さの外周には円環形状のストッパ６ｃが突出形成されている。また、蓋側連結部材６Ａの上部には施錠鍵１０（図６（ａ）参照）が挿入される鍵溝６ｄが形成され、蓋側連結部材６Ａの下部には後述する玉箱２側の連結部材６Ｂの上端に形成された十字形溝６ｇ（図４参照）に嵌合する十字形突起６ｅが形成されている。さらに、蓋側連結部材６Ａの下端部外周には上記の十字形突起６ｅのいずれかの対向２箇所に相当する部位に係合ピン６ｆ、６ｆが突出形成されている。
【００１８】
また、バネ部材７Ａは、図３に示すようにコイル形状を有し、蓋側連結部材６Ａの外周に下方から装着して、図６（ａ）に示すように蓋側連結部材６Ａのストッパ６ｃの下端で係止される。さらに、キャップ８Ａは、図３に示すように、上記の蓋側外筒５Ａの下端部に当接する鍔部８ｃと、該鍔部８ｃの内部に蓋側連結部材６Ａの外周を挿通しうる内径の円形内孔８ｄと、該内孔８ｄに沿って立設された円形ガイド８ｅとから構成されている。この円形ガイド８ｅには蓋側連結部材６Ａの外周にて対向する係合ピン６ｆ、６ｆを縦方向に挿通可能に形成した２条のガイド溝８ｆ、８ｆが形成されている。
【００１９】
上記の部材からなる蓋側連結部４Ａを組み立てるには、図６（ａ）に示すように、蓋側連結部材６Ａの下方からバネ部材７Ａをストッパ６ｃで係止されるまで装着し、キャップ８Ａの円形ガイド８ｅの２条のガイド溝８ｆ、８ｆを蓋側連結部材６Ａの各係合ピン６ｆ、６ｆに沿って挿通すると共に、円形ガイド８ｅの外周にバネ部材７Ａを嵌合した状態にしてバネ部材７Ａの下端をキャップ８Ａの鍔部８ｃで支持し、この状態の蓋側連結部材６Ａの上部を蓋側外筒５Ａの内孔５ｃに挿通し、蓋側外筒５Ａの下端にキャップ８Ａの鍔部８ｃを当てて接着剤又は螺合構造等により固定する。
【００２０】
一方、玉箱２は、図１又は図２に示すように、上記の蓋３によって閉塞される上面が開口した有底の箱形状をなし、その内部に、図１のように遊技媒体として例えば遊技媒体Ｐを収容することができ、箱形状の両側には取手１１、１１が形成され、対向する隅部２箇所には連結部（以下、玉箱２の連結部を「玉箱側連結部」という）４Ｂ、４Ｂが形成されている。これらの玉箱側連結部４Ｂ、４Ｂは同様の構成を有し、蓋３を閉める方向によって、いずれかの玉箱側連結部４Ｂが上記の蓋側連結部４Ａに結合される。
【００２１】
以下、一方の玉箱側連結部４Ｂの構成について説明すると、図４に示すように、玉箱２の角部に形成された円筒形状の外筒（以下、玉箱２の外筒を「玉箱側外筒」という）５Ｂを有し、この玉箱側外筒５Ｂは玉箱２の深さに相当する高さを有する。また、玉箱側外筒５Ｂの内孔５ｃの内周には、図５に示すように、内周に沿って３条の円環形状突起１２ａ、１２ｂ、１２ｃと２条の円環形状溝１３ａ、１３ｂとが高さ方向に交互に形成されている。また、夫々の円環形状突起１２ａ、１２ｂ、１２ｃには対向位置に切開溝１４ａ、１４ｂ、１４ｃが形成され、夫々の切開溝１４ａ、１４ｂ、１４ｃに後述する連結部材６Ｂに設けられたピン形状６ｋ、６ｊが挿通可能とされている。
【００２２】
この玉箱側外筒５Ｂの内部について、より詳細に述べると、図５に示すように、最上部の円環形状突起１２ａの対向位置に設けられた切開溝１４ａ、１４ａ（図示は一方のみが現われている）に対して約９０度位相をずらして中間部の円環形状突起１２ｂの切開溝１４ｂ、１４ｂ（図示は一方のみが現われている）が形成され、さらにこの中間部の円環形状突起１２ｂの切開溝１４ｂ、１４ｂに対して約９０度位相をずらして最下部の円環形状突起１２ｃの切開溝１４ｃ、１４ｃ（図示は一方のみが現われている）が形成されている。
【００２３】
上記のように形成された玉箱側外筒５Ｂの下方から、図４に示すように、連結部材（以下、玉箱２の連結部材を「玉箱側連結部材」という）６Ｂとバネ部材７Ｂとキャップ８Ｂとが装着される構造とされている。
【００２４】
これらの構成をより詳細に述べると、図４に示すように、玉箱側連結部材６Ｂは円柱形状に形成され、玉箱側外筒５Ｂの各円環形状突起１２ａ、１２ｂ、１２ｃの内部に挿通される外径を有し、玉箱側連結部材６Ｂの高さの略中間位置の外周には円環形状のストッパ６ｈが突出形成されている。また、玉箱側連結部材６Ｂの上部には蓋側連結部材６Ａの下端部に形成された十字形突起６ｅを嵌合する十字形溝６ｇが形成されている。さらに、玉箱側連結部材６Ｂの下部には十字形突起６ｉが形成され、この十字形突起６ｉが下方に積み上げる玉箱２の玉箱側連結部材６Ｂの上部に形成された十字形溝６ｇに嵌合される。
【００２５】
また、玉箱側連結部材６Ｂの下端部外周には上記の十字形突起６ｉのいずれかの対向２箇所に相当する部位に係合ピン（以下、「下部係合ピン」という）６ｊ、６ｊが突出形成されている。さらに、これらの下部係合ピン６ｊ、６ｊに約９０度位相をずらして、玉箱側連結部材６Ｂの上部付近の外周の対向２箇所には係合ピン（以下、この係合ピンを「上部係合ピン」という）６ｋ、６ｋが突出形成されている。
【００２６】
バネ部材７Ｂは、図４に示すようにコイル形状を有し、玉箱側連結部材６Ｂの外周に下方から装着して、図６（ａ）に示すように玉箱側連結部材６Ｂのストッパ６ｈの下端で係止される。さらに、キャップ８Ｂは、図４に示すように、上記の玉箱側外筒５Ｂの下端部に当接する鍔部８ｃと、該鍔部８ｃの内部に玉箱側連結部材６Ｂの外周を挿通する内径を有する円形内孔８ｄと、該内孔８ｄに沿って立設された円形ガイド８ｅとから構成されている。この円形ガイド８ｅには玉箱側連結部材６Ｂの下部係合ピン６ｊ、６ｊを縦方向に挿通可能にする２条のガイド溝８ｆ、８ｆが形成されている。
【００２７】
上記のように構成された玉箱側連結部４Ｂを組み立てるには、図６（ａ）に示すように、玉箱側連結部材６Ｂの下方からバネ部材７Ｂをストッパ６ｈで係止されるまで装着し、キャップ８Ｂの円形ガイド８ｅに設けられた２条のガイド溝８ｆ、８ｆを玉箱側連結部材６Ｂの下部係合ピン６ｊ、６ｊに沿って挿通すると共に、円形ガイド８ｅの外周にバネ部材７Ｂを嵌合した状態にしてバネ部材７Ｂの下端をキャップ８Ｂの鍔部８ｃで支持する。
【００２８】
次いで、この状態の玉箱側連結部材６Ｂの上部を玉箱側外筒５Ｂの下方から内孔５ｃに挿通し、玉箱側連結部材６Ｂの上部係合ピン６ｋ、６ｋを玉箱側外筒５ｂの最下部の円環形状突起１２ｃの切開溝１４ｃ、１４ｃに通過させて最下部の円環形状溝１３ｂ内に嵌合する。この状態で玉箱側連結部材６Ｂを約９０度回動して、さらに玉箱側連結部材６Ｂを押し上げ、玉箱側連結部材６Ｂの上部係合ピン６ｋ、６ｋを中間部の円環形状突起１２ｂの切開溝１４ｂ、１４ｂに通過させることによって、最上部の円環形状溝１３ａに嵌合して約９０度回動した状態とする。そして、玉箱側外筒５Ｂの下端にキャップ８の鍔部８ｃを当てて接着剤又は螺合構造等により固定する。
【００２９】
図２は上記の構成による１個の玉箱２に蓋３を被せた状態にした斜視図であり、図８は複数（一例として３個）の玉箱２、２…を積み上げ、最下部の玉箱２を台車１５に固定したものである。
【００３０】
台車１５は、図７に示すように、その下部四方にキャスター１６、１６…が取り付けられている。この台車１５は、一例として玉箱２を２列に積み上げることができる適宜の面積を有し、その上面には、２列分の玉箱２に対応する玉箱側連結部４Ｂ、４Ｂ…に相当する位置に連結部（以下、台車連結部を「台車側連結部」という）１７、１７…が形成されている。この台車側連結部１７の内部構造は不図示であるが、図５に示す玉箱側外筒５Ｂの内孔５ｃに形成された円環形状突起１２ａと円環形状溝１３ａと同様の構造が形成されている。
【００３１】
また、この台車側連結部１７の円環形状突起１２ａには対向位置に図５（ａ）に示すものと同様の一対の切開溝１４ａ、１４ａが形成され、これらの切開溝１４ａ、１４ａに最下部の玉箱２の連結部４Ｂに設けられた玉箱側連結部６Ｂの下部係合ピン６ｊ、６ｊを上方から挿通して円環形状溝１３ａ内に嵌合することが可能とされている。なお、台車１５の上面端部付近には、図１０に示すＵ字形アーム棒１９の下端部を嵌合する取付け孔１８、１８が形成されている。
【００３２】
上記のように構成された１段の玉箱２に、図２に示すように蓋３を閉じて施錠状態にするには、玉箱２のいずれかの玉箱側連結部４Ｂに蓋側連結部４Ａを合わせた状態にして蓋３を閉じると、玉箱側連結部材６Ｂの上部の十字形溝６ｇに蓋側連結部材６Ａの下部の十字形突起６ｅが嵌合した状態となる（図６（ａ）参照）。この状態で、図６(ｂ)に示すように、蓋側連結部材６Ａの上部の鍵溝６ｄに施錠鍵１０を挿入して押し込むと、蓋側連結部材６Ａの各係合ピン６ｆ、６ｆがキャップ８Ａのガイド溝８ｆ、８ｆに案内されながら玉箱側外筒５Ｂ内の最上の円環形状突起１２ａの切開溝１４ａ、１４ａを通過して、その下方の円環形状溝１３ａ内に収まる。この操作で玉箱側連結部材６Ｂの上部係合ピン６ｋ、６ｋは中間の切開溝１４ｂ、１４ｂを通過して最下部の円環形状溝１３ｂに嵌合される。この状態から、図６(ｃ)に示すように、施錠鍵１０を回動すると、蓋側連結部材６Ａの各係合ピン６ｆ、６ｆが玉箱側外筒５Ｂ内の最上の円環形状溝１３ａ内に嵌合され、蓋側連結部材６Ａが玉箱側外筒５Ｂに結合された状態となる。
【００３３】
また、図８に示すように、複数の玉箱２、２…を積み上げて、最上段の玉箱２に蓋３を閉じた場合、図９（ａ）に示すように、蓋側連結部材６Ａの下部の十字形突起６ｅが最上段の玉箱側連結部材６Ｂの上部の十字形溝６ｇに嵌合すると共に、各段の玉箱側連結部材６Ｂの十字形突起６ｅがその下段の玉箱側連結部材６Ｂの上部の十字形溝６ｇに嵌合した状態となる。この状態で、図９(ｂ)に示すように、蓋側連結部材６Ａの上部の鍵溝６ｄに施錠鍵１０を挿入して押し込むと、上記の図６(ｂ)で説明した通り、蓋側連結部材６Ａの各係合ピン６ｆ、６ｆがその下方の円環形状溝１３ａ内に収まり、同時に、玉箱側連結部材６Ｂの上部係合ピン６ｋ、６ｋは最下部の円環形状溝１３ｂに収まる。
【００３４】
また、図９(ｂ)に示すように、最上段の玉箱側連結部材６Ｂはその下方に連なる各玉箱側連結部材６Ｂ、６Ｂ…を押し下げ、各玉箱側連結部材６Ｂの下部係合ピン６ｉ、６ｉがその下段の玉箱側外筒５Ｂの最上の円環形状溝１３ａに収納される。さらに、最下段の玉箱側連結部材６Ｂの十字形突起６ｉは最下段の玉箱側外筒５Ｂの下端部から突出し、図９(ｂ)に不図示であるが、台車１５の台車側連結部１７に収まる。
【００３５】
この状態で、図９(ｃ)に示すように、施錠鍵１０を回動すると、図６(ｃ)で示した通り、蓋側連結部材６Ａの各係合ピン６ｆ、６ｆは最上段の玉箱側外筒５Ｂ内の最上の円環形状溝１３ａ内に嵌合され、蓋側連結部材６Ａが玉箱側外筒５Ｂ内に結合された状態となる。さらに、最上段の玉箱側連結部材６Ｂはその下方に連なる夫々の玉箱側連結部材６Ｂ、６Ｂ…を一度に回動し、各玉箱側連結部材６Ｂの下部係合ピン６ｉ、６ｉがその下段の玉箱側外筒５Ｂの最上の円環形状溝１３ａに嵌合され、各玉箱側連結部４Ｂ、４Ｂ…が結合状態となる。
【００３６】
なお、上記の説明では、図１０に示すように、１個又は複数個積み上げた玉箱２の上面を閉塞した蓋３の蓋側連結部材６Ａに対する施錠操作によって玉箱側連結部材６Ｂを台車１５の台車側連結部１７に結合する構成としてあるが、このような台車１５だけではなく、台車側連結部１７と同様の連結構造を不図示の置き板に形成し、この置き板を既存の台車１５の上に載せるか、さらには台車側連結部１７と同様の連結構造を不図示の床に設けることによって、この置き板や床に上記の蓋３の蓋側連結部材６Ａに対する施錠操作によって１個又は複数個積み上げた玉箱２を固定する構成にしてもよい。
【００３７】
また、本発明の他の実施例として、上記のように玉箱２の上面の開口を蓋３で閉塞することなく、図１１(ｂ)に示すように、玉箱２の上面を開口したままの状態で複数個積み上げた複数の玉箱２、２…を台車１５（その他、上記のように台車に搭載した置き板、床等の連結構造）に固定可能にする構造としてもよい。そのための構成として、図１１(ａ)及び(ｂ)に示すように、玉箱側連結部４Ｂに用いる玉箱側連結部材６Ｂ’の上部に上記の蓋側連結部４Ａの上部に設けたものと同様の施錠溝６ｄを設けたものとし、その他の構成は上記の玉箱側連結部材６Ｂと同様の構成とする。そして、図１１(ｂ)に示すように、この施錠溝６ｄに施錠鍵１０を差し込み、上記と同様の施錠操作を行うことにより、各玉箱２、２…と台車１５との固定を行うようにしてもよい。
【産業上の利用可能性】
【００３８】
本発明の玉箱は、作業者（店員）の簡単な施錠作業によって、パチンコ玉やメダル等の勝ち玉類を収納した玉箱や玉箱内の勝ち玉類を第三者が持ち去ることがないようにし、また積み上げた玉箱が転倒したり、積み上げた玉箱が崩れたりすることないようにした遊技媒体収納箱として利用可能である。
【図面の簡単な説明】
【００３９】
【図１】本発明による１個の遊技媒体収納箱（玉箱）と蓋との分解斜視図である。
【図２】本発明による１個の遊技媒体収納箱（玉箱）に蓋を閉じて施錠した状態を示す斜視図である。
【図３】本発明による蓋の連結部の分解斜視図である。
【図４】本発明による遊技媒体収納箱（玉箱）の連結部の分解斜視図である。
【図５】本発明に係る玉箱側外筒内の断面斜視図である。
【図６】(ａ)〜(ｃ)は、本発明による１個の遊技媒体収納箱（玉箱）と蓋との連結状態を示す断面斜視図であり、(ａ)は施錠前の状況、(ｂ)は施錠鍵を押し込んだ状況、(ｃ)は施錠鍵を回した状況を示す。
【図７】本発明による複数段の遊技媒体収納箱（玉箱）と蓋と台車とを結合する前の分解斜視図である。
【図８】本発明による複数段の遊技媒体収納箱（玉箱）と蓋と台車とを結合した斜視図である。
【図９】(ａ)〜(ｃ)は、本発明による積み上げた複数段の遊技媒体収納箱（玉箱）と蓋との連結状態を示す断面斜視図であり、(ａ)は施錠前の状況、(ｂ)は施錠鍵を押し込んだ状況、(ｃ)は施錠鍵を回した状況を示す。
【図１０】本発明による複数段の遊技媒体収納箱（玉箱）と蓋と台車とを結合すると共に台車にアーム棒を取り付けた分解斜視図である。
【図１１】（ａ）は本発明の他の実施例の遊技媒体収納箱（玉箱）の玉箱側連結部材の正面図であり、(ｂ)は本発明の他の実施例の遊技媒体収納箱（玉箱）と台車とを結合した斜視図である。
【符号の説明】
【００４０】
１  蓋付き玉箱
２  玉箱（遊技媒体収納箱）
３  蓋
４Ａ  蓋側連結部
４Ｂ  玉箱側連結部
５Ａ  蓋側外筒
５Ｂ  玉箱側外筒
５ｃ  円形内孔
５ｄ  鍔部
６Ａ  蓋側連結部材
６Ｂ  玉箱側連結部材
６Ｂ’  玉箱側連結部材
６ｃ  ストッパ
６ｄ  鍵溝
６ｅ  十字形突起
６ｆ  係合ピン
６ｇ  十字形溝
６ｈ  ストッパ
６ｉ  十字形突起
６ｊ  下部係合ピン
６ｋ  上部係合ピン
７Ａ  バネ部材
７Ｂ  バネ部材
８Ａ  キャップ
８Ｂ  キャップ
８ｃ  鍔部
８ｄ  円形内孔
８ｅ  円形ガイド
８ｆ  ガイド溝
９  蓋板
９ａ  紙面
１０  施錠鍵
１１  取手
１２ａ、１２ｂ、１２ｃ  円環形状突起
１３ａ、１３ｂ  円環形状溝
１４ａ、１４ｂ、１４ｃ  切開溝
１５  台車
１６  キャスター
１７  台車側連結部
１８  取付け孔
１９  アーム棒
Ｐ  遊技媒体
【図１】
2008079790.tif 000003
【図２】
2008079790.tif 000004
【図３】
2008079790.tif 000005
【図４】
2008079790.tif 000006
【図５】
2008079790.tif 000007
【図６】
2008079790.tif 000008
【図７】
2008079790.tif 000009
【図８】
2008079790.tif 000010
【図９】
2008079790.tif 000011
【図１０】
2008079790.tif 000012
【図１１】
2008079790.tif 000013